(57)【要約】【課題】光コネクタプラグの外面と光コネクタハウジングの内壁との隙間が極めて狭い光コネクタにも装着できる光コネクタ誤脱防止具を提供する。【解決手段】光コネクタハウジング２の側面に形成された凹部２ｂに係合できる凸部１３ａと、光コネクタプラグ１の側面に設けられた突起部１ｃが挿入嵌合される光コネクタハウジング２側の溝部２ｃに挿入可能な突起１２ｃとを備え、光コネクタハウジング２に外側から抱え込むようにして前記凸部１３ａを前記光コネクタハウジング２の凹部２ｂに係合させることにより光コネクタハウジング２に装着され、前記突起１２ｃが前記光コネクタプラグ１の突起部１ｃの後方から前記溝部２ｃに挿入されることにより、前記突起部１ｃの前記溝部２ｃからの離脱を規制するように構成した光コネクタ誤脱防止具１０を用いる。【選択図】  図３
2004226566.tif 000002
【特許請求の範囲】
【請求項１】
光コネクタハウジングの側面に形成された凹部（２ｂ）に係合できる凸部（１３ａ）と、光コネクタハウジングに挿入される光コネクタプラグの離脱を規制する離脱規制部（１２ｃ、２１ｆ）とを有し、
光コネクタハウジングに外側から抱え込むようにして前記凸部を前記光コネクタハウジングの凹部に係合させることにより光コネクタハウジングに装着されるように構成されたことを特徴とする光コネクタ誤脱防止具（１０、２０）。
【請求項２】
光コネクタプラグが側面に突起部（１ｃ）を有し、光コネクタハウジングが前記光コネクタプラグの突起部と嵌合される溝部（２ｃ）を有する光コネクタに装着される光コネクタ誤脱防止具であって、
前記離脱規制部が、光コネクタプラグが光コネクタハウジングに挿入された状態で、前記光コネクタプラグの突起部の後方から前記溝部に挿入することが可能な突起（１２ｃ、２１ｆ）であることを特徴とする請求項１に記載の光コネクタ誤脱防止具。
【発明の詳細な説明】
【０００１】
【発明の属する技術分野】
本発明は、光コネクタハウジングに挿入された光コネクタプラグを誤って離脱させることを防止するための光コネクタ誤脱防止具に関する。
【０００２】
【従来の技術】
従来、光コネクタプラグを光コネクタアダプタや光コネクタレセプタクルなどの光コネクタハウジングに挿入することにより、光コネクタプラグと光コネクタハウジングとが締結され、光ファイバの光接続がなされる光コネクタが広範に使用されている。その一例としては、ＪＩＳ  Ｃ  ７９５３、ＩＳＯ／ＩＥＣ  ６０８７４−１４などに規定されるＳＣ形光ファイバコネクタ（ＳＣ：Ｓｉｎｇｌｅ  ｆｉｂｅｒ  Ｃｏｕｐｌｉｎｇ）がある。
【０００３】
この種の光コネクタは、光コネクタプラグを光コネクタハウジングからに対して挿抜することのみにより、光ファイバの接続切替を行うことができ、高密度実装性、光コネクタプラグの着脱操作性などに優れているが、高密度実装状態における光コネクタプラグの着脱操作時に、目的の光コネクタ以外にも、それに近接する光コネクタに触れてしまい、その結果、光コネクタの締結状態が解除されて光コネクタプラグの誤脱を生じるという問題点があった。
光コネクタプラグの誤脱を防止するため、光コネクタプラグの外面と光コネクタハウジングの内壁との隙間に嵌入可能な突片と、光コネクタプラグの後端側に取り付けられたブーツ（フード）を把持する係止爪片とを有し、光コネクタプラグの周囲を取り囲むようにした光コネクタの誤脱防止具が提案されている。このような誤脱防止具を光コネクタに装着することにより、光コネクタの着脱操作時に誤脱防止具に手が触れても、光コネクタプラグには力が掛からないので、光コネクタプラグの締結解除を規制され、誤脱が防止される（例えば、特許文献１参照）。
【０００４】
【特許文献１】
実用新案登録第２５０９６７３号公報
【０００５】
【発明が解決しようとする課題】
しかしながら、このような誤脱防止具では、光コネクタプラグの外面と光コネクタハウジングの内壁との隙間が極めて狭いような光コネクタには装着することができない。また、誤脱防止具を光コネクタに装着するために、ブーツを把持するようにしたため、誤脱防止具の装着時や離脱時にブーツに過度な負荷が加わりやすく、光コネクタプラグのハウジングに対するブーツの取り付け状態が緩んだり、ブーツや該ブーツ内に配線された光ファイバを損傷させるなどの不都合が生じるおそれがある。
【０００６】
従って、本発明の課題は、光コネクタプラグの外面と光コネクタハウジングの内壁との隙間が極めて狭い光コネクタにも装着することができ、また、ブーツや光ファイバを損傷させるなどの不都合がない光コネクタ誤脱防止具を提供することである。
【０００７】
【課題を解決するための手段】
前記課題を解決するため、本発明は、光コネクタハウジングの側面に形成された凹部に係合できる凸部と、光コネクタハウジングに挿入される光コネクタプラグの離脱を規制する離脱規制部とを有し、光コネクタハウジングに外側から抱え込むようにして前記凸部を前記光コネクタハウジングの凹部に係合させることにより光コネクタハウジングに装着されるように構成されたことを特徴とする光コネクタ誤脱防止具を提供する。
【０００８】
前記離脱規制部としては、光コネクタが、側面に突起部を有する光コネクタプラグと、前記光コネクタプラグの突起部と嵌合される溝部を有する光コネクタハウジングとの組み合わせからなる場合、光コネクタプラグが光コネクタハウジングに挿入された状態で、前記光コネクタプラグの突起部の後方から前記溝部に挿入することが可能な突起を採用することができる。
【０００９】
【発明の実施の形態】
以下、実施の形態に基づいて、本発明を詳しく説明する。
図１は、本発明の第１の実施の形態の光コネクタ誤脱防止具を示す（ａ）斜視図、（ｂ）側面図であり、図２は本実施の形態の光コネクタ誤脱防止具が適用される光コネクタプラグおよび光コネクタハウジング（アダプタ）を示す斜視図である。図３は、光コネクタ誤脱防止具を光コネクタハウジングに取り付ける状態を示す斜視図、図４は、取り付け後の状態を示す斜視図である。図５は、誤脱防止具を光コネクタハウジングに取り付けた状態を示す断面図である。
【００１０】
図２（ａ）に示すように、本実施の形態の光コネクタ誤脱防止具（以下、単に「誤脱防止具」という）が適用される光コネクタプラグ１および光コネクタハウジング２は、ＪＩＳ  Ｃ  ７９５３、ＩＳＯ／ＩＥＣ  ６０８７４−１４などに規定される周知のＳＣ形光コネクタ（ＳＣ：Ｓｉｎｇｌｅ  ｆｉｂｅｒ  Ｃｏｕｐｌｉｎｇ）の光コネクタならびにアダプタである。なお、光コネクタハウジング２は、図２（ｂ）に示すようなレセプタクルであってもよい。
【００１１】
光コネクタプラグ１（プラグ）は、光ファイバ（裸光ファイバ）が挿入固定される微細孔（図示せず）が貫通されたフェルール１ａと、このフェルール１ａを収納するコネクタハウジング１ｂ（つまみ）とを備えて構成されている。光コネクタプラグ１のコネクタハウジング１ｂにその後側から挿入された光ファイバ３は、ここでは光ファイバコードであり、フェルール１ａは、光ファイバ３の先端には露出された裸ファイバを前記微細孔に貫通させることにより、光ファイバを微細孔に固定して保持するようになっている。コネクタハウジング１ｂの接続方向後側には、光ファイバ３を収納保護するブーツ３ａが取り付けられている。
光ファイバ３の種類としては、光コネクタの種類の応じたものが用いられる。
具体的には、単心の光ファイバ心線、単心または多心の光ファイバテープ心線（以下、単にテープ心線ということがある）、光ファイバ素線などが例示される。
【００１２】
光コネクタハウジング２は、光コネクタプラグ１を収容するコネクタ収容穴２ａを備えた略スリーブ状の部材であり、図２（ａ）にはコネクタ収容穴２ａの両側から光コネクタプラグ１を挿入して収容することができるアダプタを示し、図２（ｂ）には、コネクタ収容穴２ａの片側から光コネクタプラグ１を挿入して収容することができるレセプタクルを図示している。本発明の誤脱防止具１０は、アダプタ２とレセプタクル２Ｒとのいずれにも取り付けることができる。
【００１３】
光コネクタハウジング２は、コネクタ収容穴２ａの両側から光コネクタプラグ１を挿入することにより、光コネクタプラグ１のフェルール１ａの先端に突出した光ファイバ（裸光ファイバ）の先端が突き合わせられ、光接続がなされる。
光コネクタハウジング２の一対の側面には、凹部２ｂが形成されている。この凹部２ｂは、光コネクタハウジング２をバックプレーンなどに取り付けるためのステンレスプレート４を嵌め込むため、従来から設けられているものである。
【００１４】
また、光コネクタハウジング２の凹部２ｂが設けられた側面と異なるもう一つの側面には、光コネクタプラグ１の側面に突設された突起部１ｃと嵌合可能な溝部２ｃが形成されている。この溝部２ｃは、図３に示すように、コネクタ収容穴２ａに光コネクタプラグ１を挿入する接続方向に沿って延在形成されている。光コネクタプラグ１を光コネクタハウジング２のコネクタ収容穴２ａに挿入するときに、光コネクタプラグ１の突起部１ｃが溝部２ｃに沿って挿入されることにより、光コネクタプラグ１が真っ直ぐコネクタ収容穴２ａに挿入、収容される。
周知のように、この種の光コネクタは、光コネクタプラグ１をコネクタ収容穴２ａに挿入することにより、図示しない締結機構（例えばスライドロック機構）により締結され、しっかりとぐらつきなく接続される。また、光コネクタプラグ１を後端側に引くことにより、前記締結機構が締結解除され、光コネクタハウジング２から離脱できるようになっている。
【００１５】
本実施の形態の光コネクタ誤脱防止具１０は、図１、図３に示すように、光コネクタハウジング２の外側から抱え込むようにして装着される装着部１１と、この装着部１１から外方に突出して設けられたデータ記録部１５とから構成されている。誤脱防止具１０は、例えばプラスチックなどにより一体に形成することが可能である。
【００１６】
装着部１１は、誤脱防止具１０を光コネクタハウジング２に取り付けたときに光コネクタプラグ１の後端部を収容するプラグ収容空間１２ａを備えた略スリーブ状のスリーブ部１２と、スリーブ部１２のプラグ収容空間１２ａの一端縁１２ｄから光コネクタプラグ１の接続方向に沿って突出して形成された一対の突出部１３とを備えてなる。
【００１７】
スリーブ部１２は、スリーブの中心軸線方向（図１（ｂ）の左右方向）に沿ってスリット１２ｂが形成されている。これにより、図３に示すように、光コネクタプラグ１が収容された光コネクタハウジング２に誤脱防止具１０を装着する際、光コネクタプラグ１の後端側に露出された光ファイバ３との干渉を防ぎ、光コネクタプラグ１を光コネクタハウジング２から抜去になくても、光コネクタハウジング２に誤脱防止具１０を装着することができる。
【００１８】
スリーブ部１２の前記端縁１２ｄには、光コネクタハウジング２の溝部２ｃに係合可能な突起１２ｃが形成されている。
誤脱防止具１０の突起１２ｃが、光コネクタハウジング２の溝部２ｃに係合すると、該溝部２ｃに係合した突起１２ｃは、この溝部２ｃに係合されている光コネクタプラグ１の突起部１ｃの離脱を規制する離脱規制部となっている。
【００１９】
突出部１３の先端方向（図１（ｂ）の右側）の内側には、光コネクタハウジング２の側面に形成された前記凹部２ｂに係合可能な凸部１３ａが凸設されている。これにより、光コネクタハウジング２に誤脱防止具１０を装着すると、突出部１３が光コネクタハウジング２の側面を挟み込み、光コネクタハウジング２の凹部２ｂに凸部１３ａが係合されるので、誤脱防止具１０が光コネクタハウジング２に対してぐらつくことなく強固に装着され、手指などで触れても容易に脱落しにくくなる。
【００２０】
データ記録部１５は、誤脱防止具１０を光コネクタハウジング２に装着した際、光コネクタハウジング２側面の外方に突出するように設けられており、光コネクタや光ファイバを識別するためのデータが記録されたものである。
データ記録部１５としては、特に限定されるものではないが、充分な情報量のデータを小さいスペースに高密度に集積して記録できる記録方式によって形成されるものが好ましい。例えばＪＩＳ  Ｘ  ０５１０やＩＳＯ／ＩＥＣ  １８００４等に規定されたＱＲコード（ＱＲ：Ｑｕｉｃｋ  Ｒｅｓｐｏｎｓｅ）などの二次元コードに代表される識別符号を印刷などの方式にて形成した印字部や、公知のＲＦ−ＩＤ方式（ＲＦ：Ｒａｄｉｏ−ｆｒｅｑｕｅｎｃｙ、ＩＤ：Ｉｄｅｎｔｉｆｉｃａｔｉｏｎ）のＩＣチップなどが例示される。
ここではデータ記録部１５は、平板状に形成されており、その前壁１５ａにＱＲコードなどの二次元コードが、印刷もしくはシール貼付等により取り付けられている。データ記録部１５の前壁１５ａは、補強リブ１５ｂにより補強されている。二次元コードは、読み取りに電磁波を必要としないので、電子機器など、電磁波の影響が問題となる環境に設置された光コネクタに対しても問題なく適用できるので、好ましい。
【００２１】
このような誤脱防止具１０は、光コネクタプラグ１が挿入収容された光コネクタハウジング２に対して、該光コネクタハウジング２の後端側から差し込むことにより、スリーブ部１２のプラグ収容空間１２ａに光コネクタプラグ１の後端部が収容され、突出部１３が弾性変形してその凸部１３ａが光コネクタハウジング２側面の凹部２ｂに係合し、図４に示すような状態で装着部１１により光コネクタハウジング２の外面に装着される。突起１２ｃが光コネクタハウジング２の溝部２ｃに係合することにより、溝部２ｃに係合されている光コネクタプラグ１の突起部１ｃの接続方向後方への移動が規制される。
その結果、光コネクタプラグ１は、突起部１ｃの溝部２ｃからの離脱が凸部１３ａにより防止されるので、誤脱防止具１０を取り外さない限り、光コネクタプラグ１を光コネクタハウジング２から抜去することができなくなる。従って、目的の光コネクタプラグ１を操作する際に、近くの光コネクタプラグ１に誤って触れてしまい、光コネクタプラグ１の締結状態を解除して誤脱してしまうといった事故を効果的に防ぐことができる。
【００２２】
誤脱防止具１０は、凸部１３ａと凹部２ｂとの係合により光コネクタハウジング２に対して固定されるので、両突出部１３の間隔を広げ、凸部１３ａと凹部２ｂとの係合を解除することにより、誤脱防止具１０を光コネクタハウジング２から取り外すことができる。誤脱防止具１０を取り外せば、通常の離脱操作により光コネクタプラグ１を抜去することができる。
【００２３】
さらに本実施の形態の誤脱防止具１０は、光コネクタへの装着時に、データ記録部１５が光コネクタハウジング２側面の外方前面（光コネクタハウジング２の光コネクタプラグ１を操作する作業者にとっての手前側）に向いて配置されるようになっているので、データ記録部１５の記録を所定の読み取り機（コードリーダなど）により読み出すことにより、光ファイバの情報を得ることができる。これにより、配線切替すべき光ファイバかどうかの識別が容易かつ確実になされる。データ記録部１５が光コネクタプラグ１および光コネクタハウジング２から極めて近接した位置に配置されるので、光ファイバと光コネクタとの照合が極めて容易になり、誤った光コネクタを操作して誤脱してしまうなどの不都合が効果的に低減される。
【００２４】
図６は、本発明の第２の実施の形態の光コネクタ誤脱防止具を示す正投影図であり、それぞれ、（ａ）正面図、（ｂ）平面図、（ｃ）底面図、（ｄ）右側面図である。図７は本実施の形態の光コネクタ誤脱防止具を光コネクタハウジングに取り付ける状態を示す斜視図、図８は、取り付け後の状態を示す斜視図である。
本実施の形態の誤脱防止具２０が適用される光コネクタプラグ１および光コネクタハウジング２は、上述の図２（ａ）および（ｂ）に示したＳＣ形光コネクタ（プラグ、アダプタ、レセプタクル）である。
【００２５】
誤脱防止具２０は、図６、７に示すように、略コ字溝状の装着部２１と、装着部２１の外面から外方に突出するデータ記録部２５とから構成されている。誤脱防止具２０は、例えばプラスチックなどにより一体形成することが可能である。
【００２６】
装着部２１は、より具体的には、下向きに開口した冂字状であり、データ記録部２５が突設された側の側壁２１ａと、この側壁２１ａに対向して配置された他方の側壁２１ｂと、両側壁２１ａ、２１ｂを上端同士で連結する上壁２１ｃと、側壁２１ａの下端から側壁２１ｂ側に突出する突壁２１ｄとで構成され、側壁２１ａおよび突壁２１ｄの内面には、光コネクタハウジング２の側面に形成された前記凹部２ｂに係合可能な凸部２１ｅが凸設されている。
さらに、側壁２１ｂの下端には、光コネクタハウジング２の溝部２ｃに係合可能な突起２１ｆが形成されている。
【００２７】
光コネクタハウジング２に誤脱防止具２０を装着したとき、装着部２１は、両側壁２１ａ、２１ｂが弾性変形して光コネクタハウジング２の両側面を挟み込み、光コネクタハウジング２の凹部２ｂに凸部２１ｅが係合されるので、誤脱防止具２０が光コネクタハウジング２に対してぐらつくことなく強固に装着され、手指などで触れても容易に脱落しにくくなる。また、突起２１ｆが光コネクタハウジング２の溝部２ｃに係合すると、該溝部２ｃに係合した突起２１ｆは、この溝部２ｃに係合されている光コネクタプラグ１の突起部１ｃの離脱を規制する（離脱規制部）。
その結果、誤脱防止具２０を取り外さない限り、光コネクタプラグ１を光コネクタハウジング２から抜去することができなくなる。従って、光コネクタプラグ１の誤脱が効果的に防止される。
【００２８】
データ記録部２５は、ここでは、窪み状の穴２５ａを有する有底円筒状に形成されており、ここにＩＣチップ２５ｂを埋め込み保持できるようなＩＣチップ収容穴になっている。しかし、データ記録部２５は、上記第１の実施の形態で図示したように、ＱＲコードなどの二次元コードに代表される識別符号を印刷した印刷面を有するように形成することもできる。
【００２９】
本実施の形態の誤脱防止具２０は、光コネクタプラグ１が挿入収容された光コネクタハウジング２に対して、該光コネクタハウジング２の一側面側から差し込むことにより、装着部２１が光コネクタハウジング２に抱合するとともに、両側壁２１ａ、２１ｂの間隔が弾性的に広がって凸部２１ｅが光コネクタハウジング２側面の凹部２ｂに係合し、図８に示すような状態で光コネクタハウジング２の外面に装着される。
その結果、光コネクタプラグ１は、突起部１ｃの溝部２ｃからの離脱が凸部２１ｅにより防止されるので、誤脱防止具２０を取り外さない限り、光コネクタプラグ１を光コネクタハウジング２から抜去することができなくなる。従って、目的の光コネクタプラグ１を操作する際に、近くの光コネクタプラグ１に誤って触れてしまい、光コネクタプラグ１の締結状態を解除して誤脱してしまうといった事故を効果的に防ぐことができる。
【００３０】
誤脱防止具２０は、凸部２１ｅと凹部２ｂとの係合により光コネクタハウジング２に対して固定されるので、両側壁２１ａ、２１ｂの間隔を弾性的に広げ、凸部２１ｅと凹部２ｂとの係合を解除することにより、誤脱防止具２０を光コネクタハウジング２から取り外すことができる。誤脱防止具２０を取り外せば、通常の離脱操作により光コネクタプラグ１を抜去することができる。
このように、本実施の形態の誤脱防止具２０によっても、前記第１実施の形態の誤脱防止具１０と同様の優れた効果を奏する。
【００３１】
以上、本発明を好適な実施の形態に基づいて説明してきたが、本発明はこの実施の形態のみに限定されるものではなく本発明の要旨を逸脱しない範囲で種々の改変が可能である。
上記実施の形態においては、ＳＣ形光コネクタに適用した場合を説明したが、これに限定されるものではなく、ＦＣ形光コネクタ（Ｆｉｂｅｒ  ｔｒａｎｓｍｉｓｓｉｏｎ  ｓｙｓｔｅｍ  ｏｐｔｉｃａｌ  Ｃｏｎｎｅｃｔｏｒ、ＪＩＳ  Ｃ  ５９７０に規定のもの等）、ＭＴ形光コネクタ（ＭＴ：Ｍｅｃｈａｎｉｃａｌｌｙ  Ｔｒａｎｓｆｅｒａｂｌｅ、ＪＩＳ  Ｃ  ５９８１に規定のもの等）、ＭＰＯ形光コネクタ（ＭＰＯ：Ｍｕｌｔｉｆｉｂｅｒ  Ｐｕｓｈ−Ｏｎ、ＪＩＳ  Ｃ  ５９８２に規定のもの等）、ＭＵ形コネクタ（ＭＵ：Ｍｉｎｉａｔｕｒｅ−Ｕｎｉｔ  ｃｏｕｐｌｉｎｇ、ＪＩＳ  Ｃ  ５９８３に規定のもの等）、Ｍｉｎｉ−ＭＰＯ形光コネクタ（ＭＰＯ：Ｍｕｌｔｉｆｉｂｅｒ  Ｐｕｓｈ−Ｏｎ、ＪＩＳ  Ｃ  ５９８４に規定のもの等）など、種々の光コネクタに適用することができる。
【００３２】
【発明の効果】
以上説明したように、光コネクタハウジングの側面に形成された凹部に係合できる凸部と、光コネクタハウジングに挿入される光コネクタプラグの離脱を規制する離脱規制部とを有し、光コネクタハウジングに外側から抱え込むようにして前記凸部を前記光コネクタハウジングの凹部に係合させることにより光コネクタハウジングに装着されるように構成された本発明の光コネクタ誤脱防止具は、光コネクタプラグの外面と光コネクタハウジングの内壁との隙間が極めて狭い光コネクタにも装着することができる。誤脱防止具を取り外さない限り、光コネクタプラグを光コネクタハウジングから抜去することができなくなる。従って、光コネクタプラグの誤脱が効果的に防止される。誤脱防止具を光コネクタに装着した状態で、ブーツや光ファイバに接触しないので、ブーツや光ファイバを損傷させるおそれがない。
【００３３】
光コネクタが、側面に突起部を有する光コネクタプラグと、前記光コネクタプラグの突起部と嵌合される溝部を有する光コネクタハウジングとの組み合わせからなる場合、離脱規制部として、光コネクタプラグが光コネクタハウジングに挿入された状態で、前記光コネクタプラグの突起部の後方から前記溝部に挿入することが可能な突起とすることにより、光コネクタプラグの誤脱を確実に防止することができる。
【図面の簡単な説明】
【図１】本発明の第１の実施の形態の光コネクタ誤脱防止具を示す正投影図であり、それぞれ（ａ）斜視図、（ｂ）側面図である。
【図２】（ａ）図１に示す誤脱防止具が適用される光コネクタハウジング（アダプタ）および光コネクタ（プラグ）を示す斜視図である。（ｂ）光コネクタハウジング（レセプタクル）を示す斜視図である。
【図３】図１に示す誤脱防止具を光コネクタハウジングに取り付ける状態を示す斜視図である。
【図４】図１に示す誤脱防止具を光コネクタハウジングに取り付けた後の状態を示す斜視図である。
【図５】図１に示す誤脱防止具を光コネクタハウジングに取り付けた後の状態を示す断面図であり、（ａ）光コネクタの挿入方向に切断した縦断面図、（ｂ）光コネクタの挿入方向に垂直な方向に切断した横断面図である。
【図６】本発明の第２の実施の形態の光コネクタ誤脱防止具を示す正投影図であり、それぞれ（ａ）正面図、（ｂ）平面図、（ｃ）底面図、（ｄ）右側面図である。
【図７】図６に示す誤脱防止具を光コネクタハウジングに取り付ける状態を示す斜視図である。
【図８】図６に示す誤脱防止具を光コネクタハウジングに取り付けた後の状態を示す斜視図である。
【符号の説明】
１…光コネクタプラグ、１ｃ…突起部、２…光コネクタハウジング（アダプタ）、２ｂ…凹部、１０…光コネクタ誤脱防止具（誤脱防止具）、１２ｃ…離脱規制部（突起）、１３ａ…凸部、２０…光コネクタ誤脱防止具（誤脱防止具）、２１ｅ…凸部、２１ｆ…離脱規制部（突起）。
【図１】
2004226566.tif 000003
【図２】
2004226566.tif 000004
【図３】
2004226566.tif 000005
【図４】
2004226566.tif 000006
【図５】
2004226566.tif 000007
【図６】
2004226566.tif 000008
【図７】
2004226566.tif 000009
【図８】
2004226566.tif 000010